(57)【要約】【課題】  二輪車の前輪側に架装されて油圧緩衝器として機能しながら二輪車における乗り心地の改善を妨げないようにする。【解決手段】  倒立型に設定のフォーク本体内に収装のダンパを形成するシリンダ体２が締付ボルト３の締め付けで車輪側チューブ１の軸芯部に配設され、シリンダ体２内とシリンダ体２外との連通を許容する連通孔２ｂを有しながら漏斗状に絞り加工されたシリンダ体２の下端部２ａに介装される筒状体がシリンダ体２に対する締付ボルト３の螺着で上端側の内周をシリンダ体２の下端部２ａにおける絞り加工されていない直線状部２ｃから絞り加工されたテーパ状部２ｄに掛けの外周に密接させると共に下端を車輪側チューブ１のボトム部（４）に形成の環状担持部４ａに押し付けて、この筒状体５がシリンダ体２内から減衰手段１０に向かう通路Ｌ１と減衰手段１０からリザーバ室Ｒに向かう通路Ｌ２のシリンダ体２における下端部２ａ外での合流を阻止する。【選択図】  図１
2008232385.tif 000002
【特許請求の範囲】
【請求項１】
アウターチューブを車体側チューブにすると共にインナーチューブを車輪側チューブにする倒立型のフォーク本体内に、ダンパを形成するシリンダ体が車輪側チューブの軸芯部に配設されながら車輪側チューブのボトム部を貫通する締付ボルトの締め付けによって所定位置に立設されると共に車輪側チューブとの間にリザーバ室を画成し、フォーク本体の収縮作動時に圧側の減衰力を発生する減衰手段を車輪側チューブのボトム部に有すると共に、このボトム部がシリンダ体内から減衰手段に向かう通路と減衰手段からリザーバ室に向かう通路とを有してなるフロントフォークにおいて、シリンダ体の下端部がシリンダ体内とシリンダ体外との連通を許容する連通孔を有しながら漏斗状に絞り加工されてなると共に、この絞り加工されたシリンダ体の下端部の外周に筒状体が介装されてなる一方で、シリンダ体における下端部の内周への締付ボルトの螺着で筒状体における上端側の内周がシリンダ体の下端部における絞り加工されていない直線状部から絞り加工されたテーパ状部に掛けの外周に密接されると共に、筒状体における下端が車輪側チューブのボトム部に形成の環状担持部に押し付けられ、筒状体がシリンダ体内から減衰手段に向かう通路と減衰手段からリザーバ室に向かう通路のシリンダ体における下端部外での合流を阻止してなることを特徴とするフロントフォーク。
【請求項２】
車輪側チューブのボトム部が車輪側チューブの下端開口を閉塞しながら二輪車における前輪の車軸の把持するブラケットからなる請求項１に記載のフロントフォーク。
【請求項３】
筒状体が所定の機械的強度を有する外周側補強体と、この外周側補強体の内周に一体に形成されて所定の弾性を有する内周側シール体とからなる請求項１に記載のフロントフォーク。
【請求項４】
減衰手段がシリンダ体内からの作動油がリザーバ室に向けて通過するときに所定の圧側減衰力を発生する圧側減衰バルブと、この圧側減衰バルブに並列する圧側チェック弁と、圧側減衰バルブで発生される圧側減衰力を外部からの操作で高低調整できる調整バルブとを有してなる請求項１に記載のフロントフォーク。
【発明の詳細な説明】
【技術分野】
【０００１】
この発明は、フロントフォークに関し、特に、二輪車の前輪側に架装されて二輪車の前輪を懸架しながらその前輪に入力される路面振動を吸収する油圧緩衝器たるフロントフォークの改良に関する。
【背景技術】
【０００２】
二輪車の前輪側に架装されて二輪車の前輪を懸架しながらその前輪に入力される路面振動を吸収する油圧緩衝器たるフロントフォークとしては、従来から種々の提案がある。
【０００３】
その中で、たとえば、特許文献１には、大径となるアウターチューブを車体側チューブにすると共に小径となるインナーチューブを車輪側チューブにする倒立型に設定のフォーク本体内にいわゆるダンパを有するフロントフォークにあって、その作動時に発生される圧側の減衰力が伸側の減衰力と同様にライダーなどがする言わば外部からの操作で高低調整可能とされてなるとする提案が開示されている。
【０００４】
すなわち、特許文献１に開示の提案にあっては、フォーク本体を形成する車輪側チューブの軸芯部にダンパを形成するシリンダ体を配設するについて、車輪側チューブにおけるボトム部を形成するブラケットの軸芯部を貫通する締付ボルトの締め付けによって、シリンダ体が所定位置たる車輪側チューブの軸芯部に立設されるとしている。
【０００５】
そして、この特許文献１に開示の提案にあって、シリンダ体と車輪側チューブとの間がリザーバ室に設定されていて、このリザーバ室とシリンダ体内とを連通する通路に圧側の減衰力を発生する減衰手段、すなわち、圧側の減衰手段が配設されてなるとしている。
【０００６】
すなわち、この特許文献１に開示の提案にあっては、圧側の減衰手段をシリンダ体内に有しないから、締め付けボルトがシリンダ体の下端部の内周に直接螺着されると共に、この締め付けボルトがシリンダ体内とリザーバ室とを連通する通路の一部を有してなるとしている。
【０００７】
そして、この特許文献１に開示の提案にあっては、車輪側チューブのボトム部を形成するブラケットがシリンダ体内から減衰手段に向かう通路とこの減衰手段からリザーバ室に向かう通路とを有すると共に、この言わば二本の通路がブラケットに連設されるタンク内に連通するとし、タンク内に圧側の減衰手段が配設されてなるとしている。
【０００８】
それゆえ、この特許文献１開示の提案にあっては、シリンダ体内に圧側の減衰手段を有しない分、ダンパにおける伸縮ストロークを大きく採れることになると共に、車輪側チューブのボトム部を形成するブラケットが圧側の減衰手段を有するとするから、ライダーなどがする言わば外部からの操作を容易にし得ることになる。
【特許文献１】特開２００３‐２６９５１６号公報（明細書中の段落００１５、図１および図２参照）
【発明の開示】
【発明が解決しようとする課題】
【０００９】
しかしながら、上記した特許文献１に開示の提案にあっては、フォーク本体内のダンパにおける伸縮ストロークを大きく採れる点、および、圧側の減衰部に対するライダーなどがする操作を容易にし得る点で格別の不具合がある訳ではないが、二輪車における乗り心地の改善を図る上からは、些かの不具合があると指摘される可能性がある。
【００１０】
すなわち、上記した特許文献１に開示の提案にあっては、圧側の減衰手段をシリンダ体内に有しないから、締め付けボルトは、シリンダ体の下端部の内周に直接螺着されるとしている。
【００１１】
そして、圧側の減衰手段を車輪側チューブのボトム部を形成するブラケットに有するとしているから、この圧側の減衰手段を配設させる通路、すなわち、シリンダ体内とリザーバ室とを連通する通路の一部が上記の締め付けボルトに形成されることになる。
【００１２】
その結果、締め付けボルトは、シリンダ体の下端部の内周に螺着されることからしてもいわゆる大径に形成されることになるが、上記したように、シリンダ体内とリザーバ室とを連通する通路の一部を有することが要請されるから、言わば全体的に大きく形成されて質量を大きくすることになり、その分車輪側チューブのボトム部を形成するブラケットの質量を大きくすることになる。
【００１３】
そして、このことは、フォーク本体を倒立型にして、すなわち、大径のアウターチューブを車体側チューブにすると共に小径のインナーチューブを車輪側チューブにして、ハンドル側より車輪側の荷重を小さくして、二輪車における乗り心地を改善させようとするところに反することになる。
【００１４】
この発明は、上記した事情を鑑みて創案されたものであって、その目的とするところは、二輪車の前輪側に架装されて油圧緩衝器として機能するのはもちろんのこと、二輪車における乗り心地の改善を妨げないようにして、その汎用性の向上を期待するのに最適となるフロントフォークを提供することである。
【課題を解決するための手段】
【００１５】
上記した目的を達成するために、この発明によるフロントフォークの構成を、基本的には、アウターチューブを車体側チューブにすると共にインナーチューブを車輪側チューブにする倒立型のフォーク本体内に、ダンパを形成するシリンダ体が車輪側チューブの軸芯部に配設されながら車輪側チューブのボトム部を貫通する締付ボルトの締め付けによって所定位置に立設されると共に車輪側チューブとの間にリザーバ室を画成し、フォーク本体の収縮作動時に圧側の減衰力を発生する減衰手段を車輪側チューブのボトム部に有すると共に、このボトム部がシリンダ体内から減衰手段に向かう通路と減衰手段からリザーバ室に向かう通路とを有してなるフロントフォークにおいて、シリンダ体の下端部がシリンダ体内とシリンダ体外との連通を許容する連通孔を有しながら漏斗状に絞り加工されてなると共に、この絞り加工されたシリンダ体の下端部の外周に筒状体が介装されてなる一方で、シリンダ体における下端部の内周への締付ボルトの螺着で筒状体における上端側の内周がシリンダ体の下端部における絞り加工されていない直線状部から絞り加工されたテーパ状部に掛けの外周に密接されると共に、筒状体における下端が車輪側チューブのボトム部に形成の環状担持部に押し付けられ、筒状体がシリンダ体内から減衰手段に向かう通路と減衰手段からリザーバ室に向かう通路のシリンダ体における下端部外での合流を阻止してなるとする。
【発明の効果】
【００１６】
それゆえ、この発明にあっては、倒立型のフォーク本体内に収装のダンパを形成して車輪側チューブの軸芯部に配設されるシリンダ体が漏斗状に絞り加工された下端部の内周への締付ボルトの螺着で所定位置に立設されてなるとするから、締付ボルトの言わば径を絞り加工されたシリンダ体における下端部の内径に一致させ得ることになり、絞り加工されていないシリンダ体の下端部の内周に螺着される締付ボルトに比較して、締付ボルトを大径に形成しなくて済むことになる。
【００１７】
のみならず、締付ボルトにシリンダ体内とリザーバ室との連通を可能にする通路の一部を形成しなくて済むから、締付ボルトに対する通路形成のための加工が不要になり、部品コストの高騰化を回避できることになる。
【００１８】
そして、締付ボルトが言わば小径に形成されるから、この締付ボルトを貫通させる部位たる車輪側チューブのボトム部にいわゆる大きな貫通孔を形成する必要がなく、このボトム部おける機械的強度をいたずらに低減させず、したがって、このボトム部を、たとえば、ブラケットで形成するとき、比較すればブラケットをいわゆる大きくして頑強に形成する必要がなく、車輪側チューブにおける質量をいたずらに大きくしないことが可能になる。
【００１９】
また、この発明にあっては、絞り加工されたシリンダ体の下端部の外周に介装される筒状体がシリンダ体における下端部の内周への締付ボルトの螺着で上端側の内周をシリンダ体の下端部における絞り加工されていない直線状部から絞り加工されたテーパ状部に掛けの外周に密接させると共に下端を車輪側チューブのボトム部に形成の環状担持部に押し付けて、シリンダ体内から減衰手段に向かう通路と減衰手段からリザーバ室に向かう通路とのシリンダ体における下端部外での合流を阻止するから、いわゆるシンプルな部品の利用による言わば通路における画成が可能とされることになり、複雑な構成の部品を利用して複雑な部品配置を実践しなくて済むことになる。
【００２０】
その結果、この発明によれば、二輪車の前輪側に架装されて油圧緩衝器として機能するのはもちろんのこと、簡単な部品構成の採用で足りるから、いたずらな製品コストの上昇を抑制し得ることになり、また、フォーク本体を形成する車輪側チューブにおける質量を大きくせずして、フォーク本体において上端側たるハンドル側に対して下端側たる車輪側の荷重を可能な限りに小さくして二輪車における乗り心地を改善させることに寄与し得ることになる。
【発明を実施するための最良の形態】
【００２１】
以下に、図示した実施形態に基づいて、この発明を説明するが、この発明によるフロントフォークは、二輪車の前輪側に架装されて二輪車の前輪を懸架しながらその前輪に入力される振動を吸収する油圧緩衝器として機能する。
【００２２】
そして、この発明によるフロントフォークは、図１に示すように、フォーク本体を形成する車輪側チューブ１のボトム部にフォーク本体の収縮作動時に所定の圧側の減衰力を発生する減衰手段１０を有してなるとしている。
【００２３】
そして、このフロントフォークにあっては、車輪側チューブ１の軸芯部に配設されるシリンダ体２が車輪側チューブ１のボトム部を図中での下端側から貫通する締付ボルト３の締め付けによって所定位置に立設され、車輪側チューブ１との間にリザーバ室Ｒを画成するとしている。
【００２４】
ちなみに、このフロントフォークにあって、フォーク本体は、車体側チューブと車輪側チューブ１とからなるが、この実施形態では、車体側チューブがアウターチューブからなるのに対して車輪側チューブ１がインナーチューブからなると共に車体側チューブ内に車輪側チューブ１が出没可能に挿通されてなるとして、フォーク本体が倒立型に設定されていて、したがって、下端側の荷重を上端側の荷重より小さくするようにしてこのフロントフォークを架装する二輪車における乗り心地を改善させ易くしている。
【００２５】
そして、フォーク本体にあって、車体側チューブと車輪側チューブ１との間には、図示しないが、懸架バネが配設されていて、この懸架バネのバネ力たる附勢力によって車輪側チューブ１が車体側チューブ内から突出するように附勢される、すなわち、フォーク本体が伸長方向に附勢されてなるとしている。
【００２６】
また、フォーク本体にあって、車輪側チューブ１のボトム部は、図示するところでは、車輪側チューブ１の下端開口を図中の下端側から閉塞しながら二輪車における前輪の車軸の把持を可能にするブラケット４からなると共に、このブラケット４に減衰手段１０を有してなるとしている。
【００２７】
さらに、このフロントフォークにあっては、フォーク本体の軸芯部にダンパを有してなるとしており、したがって、図示する実施形態では、シリンダ体２は、ダンパシリンダとされていて、図示しないが、内部で摺動されて伸側の減衰バルブで伸側の減衰力を発生するピストン部を有すると共に、このピストン部に下端が連設されるロッド体の上端がダンパシリンダの、すなわち、シリンダ体２の上端外に突出して車体側チューブに連結されてなるとしている。
【００２８】
それゆえ、図示するフォーク本体にあっては、車体側チューブに対して車輪側チューブ１が出没することになるその伸縮作動時に、上記のシリンダ体２内のピストン部で伸側の減衰力を発生し得ることになり、減衰手段１０によって所定の圧側の減衰力が発生されることになる。
【００２９】
ところで、この発明のフロントフォークにあって、車輪側チューブ１の軸芯部に配設されるシリンダ体２は、結果的には、締付ボルト３の締め付けによって所定位置に立設されるが、特に、この発明にあっては、シリンダ体２の下端部２ａが漏斗状に絞り加工されてなるとしている。
【００３０】
すなわち、この発明にあって、シリンダ体２は、下端部２ａがシリンダ体２内とシリンダ体２外との連通を許容する連通孔２ｂを有しながら漏斗状に絞り加工されてなるとし、この絞り加工された下端部２ａの内周への締付ボルト３の螺着で所定位置たる車輪側チューブ１の軸芯部に立設されるとしている。
【００３１】
一方、締付ボルト３は、ブラケット４に形成の段部４ａに係止されながらシリンダ体２の下端部２ａに螺着する、すなわち、締付ボルト３における螺条部３ａがシリンダ体２の下端部２ａにおける内周に形成の内側螺条２ｃに螺着するとしており、したがって、シリンダ体２は、ブラケット４に引き付けられる状態にして定着されて、車輪側チューブ１の軸芯部に立設されるとしている。
【００３２】
このように、締付ボルト３が絞り加工されたシリンダ体２の下端部２ａの内周に螺着されるとすることで、締付ボルト３における螺条部３ａの径を絞り加工されたシリンダ体２における下端部２ａの内径に、すなわち、内側螺条２ｃに一致させ得ることになる。
【００３３】
その結果、たとえば、特許文献１に開示されているように、締付ボルトが絞り加工されていないシリンダ体の下端部の内周に螺着される場合に比較して、この発明における締付ボルト３にあっては、言わば大径に形成されなくなる。
【００３４】
のみならず、図示するところでは、シリンダ体２の下端部２ａがシリンダ体２内とシリンダ体２外との連通を許容する連通孔２ｂを有してなるとするから、シリンダ体２内をシリンダ体２外に、すなわち、後述する減衰手段１０側に連通させるための通路を締付ボルト３に形成する必要がないことになる。
【００３５】
そして、締付ボルト３に通路を形成することを要しないから、締付ボルト３の形成にあって、いわゆる部品加工の手間を要せず、部品コストの高騰化を回避できることになる。
【００３６】
また、締付ボルト３に通路を形成しないから、締付ボルト３を言わば小径に形成し得ることになり、そのため、この締付ボルト３を貫通させる部位たるブラケット４にいわゆる大きな孔を形成することがなくしてブラケット４における機械的強度をいたずらに低減させないことになる。
【００３７】
そしてまた、たとえば、特許文献１に開示されている場合に比較して、締付ボルトを言わば小さく形成し得るから、ブラケット４をいたずらに頑強に形成する必要がなく、車輪側チューブ１における質量をいたずらに大きくしないことになる。
【００３８】
ところで、この発明にあっては、絞り加工されたシリンダ体２の下端部２ａの外周に筒状体５が介装されてなるとし、この筒状体５は、シリンダ体２における下端部２ａの内周への締付ボルト３の螺着で、シリンダ体２内が後述する減衰手段１０を介することなくリザーバ室Ｒに連通することになるのを阻止する隔壁体として機能するとしている。
【００３９】
すなわち、筒状体５は、図２に示すように、所定の機械的強度を有する外周側補強体５１と、この外周側補強体５１の内周に、たとえば、焼付けなどで一体に形成されて所定の弾性を有する内周側シール体５２とからなる。
【００４０】
そして、この筒状体５にあっては、上記したように締付ボルト３の螺着でシリンダ体２を所定位置に立設させるとき上端側の内周が、すなわち、内周側シール体５２の上端側の内周がシリンダ体２の下端部２ａにおける絞り加工されていない直線状部２ｄから絞り加工されたテーパ状部２ｅに掛けの外周に密接されるとしている。
【００４１】
そして、このとき、筒状体５における下端が、すなわち、内周側シール体５２の下端が車輪側チューブ１のボトム部とされるブラケット４に形成の環状担持部４ｂに押し付けられるとしている。
【００４２】
それゆえ、この筒状体５にあっては、シリンダ体２内から減衰手段１０に向かうべくブラケット４に開穿された通路Ｌ１（図１参照）と、減衰手段１０からリザーバ室Ｒに向かうべくブラケット４に開穿された通路Ｌ２（図１参照）のシリンダ体２における下端部２ａ外での合流を阻止することになる（図１参照）。
【００４３】
以上からすると、この筒状体５は、このフロントフォークの組立時に、車体側チューブ１内に挿入される前のシリンダ体２における下端部２ａの外周に言わば嵌着された状態に維持されるのが好ましく、したがって、筒状体５の上端側は、すなわち、内周側シール体５２の上端側は、図示するように、シリンダ体２の下端部２ａにおける絞り加工されていない直線状部２ｄの外周にある程度の長さを有して圧接される、すなわち、シリンダ体２における下端部２ａの外周に嵌着されるとき、その状態を維持できる長さを有するとするのが好ましいであろう。
【００４４】
このように、筒状体５の上端側がある程度の長さを有してシリンダ体２の下端部２ａの外周に介装されることで、この筒状体５のシリンダ体２に対するセンタリングが可能になる点でも有利になると言い得る。
【００４５】
一方、この筒状体５にあっては、その下端が、特に、内周側シール体５２の下端がブラケット４に形成の環状担持部４ｂに押し付けられることで所定のシール機能を発揮するとしているもので、その限りには、外周側補強体５１の下端は、上記の環状担持部４ｂから離座しているのが好ましいであろう。
【００４６】
そして、内周側シール体５２の下端が環状担持部４ｂに押し付けられて所定のシール機能を発揮する点からすれば、たとえば、図３に示すように、筒状体５の下端部において、内周側シール体５２の下端部が外周側補強体５１の下端部を取り囲むようにしてなるとしても良く、このとき、内周側シール体５２の下端部の外周が環状担持部４ｂを形成する立ち上り壁４ｃに密接するとするのが好ましいであろう。
【００４７】
以上からすると、この発明における筒状体５は、部品としてみるとき、簡単な構成とされるから、部品コストの点から看ても、いたずらに高い部品コストとされる可能性が少なく、フロントフォークにおける製品コストをいたずらに上昇させる要因にならない利点がある。
【００４８】
また、この発明における筒状体５は、部品としてみるとき、簡単な構成とされていわゆる嵩張ることもないから、車輪側チューブ１のボトム部における重量をいたずらに大きくすることがなく、フォーク本体を倒立型に設定して車輪側の荷重を小さくすることにも充分に寄与し得ることになる。
【００４９】
以上のように形成されたフロントフォークにあって、減衰手段１０は、図示すする実施形態では、シリンダ体２内からの作動油がリザーバ室Ｒに向けて通過するときに所定の圧側減衰力を発生する圧側減衰バルブ１１と、この圧側減衰バルブ１１に並列する圧側チェック弁１２と、圧側減衰バルブ１１で発生される圧側減衰力を外部からの操作で高低調整できる調整バルブ１３とを有してなるとしている。
【００５０】
このとき、調整バルブ１３は、上記の圧側減衰バルブ１１を迂回するバイパス路（符示せず）中に配設されて環状オリフィスを出現させるニードル（符示せず）を有してなり、このニードルをいわゆる進退させることで、環状オリフィスにおける流量の調整を可能にするとしている。
【００５１】
それゆえ、以上のように形成されたフロントフォークにあっては、フォーク本体の伸縮作動時に所定の減衰作用が具現化されることになり、このフロントフォークを前輪側に架装する走行中の二輪車において、前輪に路面振動が入力されるとき、この路面振動を吸収して二輪車における乗り心地の悪化を回避することが可能になる。
【００５２】
のみならず、フォーク本体の軸芯部に配設されるシリンダ体２を所定位置に立設させる締付ボルト３がシリンダ体２内とシリンダ体２外との連通を許容する通路を有しないとしているから、この締付ボルト３を大径に形成する必要がなく、したがって、この締付ボルト３が貫通する車輪側チューブ１におけるボトム部を大径化させず、車輪側チューブ１における質量をいたずらに大きくさせず、このことからしても、二輪車における乗り心地の改善を妨げないことが可能になる。
【００５３】
前記したところでは、この発明によるフロントフォークが二輪車の前輪側に架装されるとだけ説明して、二輪車が自転車であるか、自動二輪車であるかについては言及していないが、この発明が意図するところからすれば、二輪車が自転車であるか自動二輪車であるかに限定されないことはもちろんである。
【図面の簡単な説明】
【００５４】
【図１】この発明によるフロントフォークの下端部を一部破断して示す部分断面正面図である。
【図２】図1中のシリンダ体の下端部を拡大して示す部分断面図である。
【図３】他の実施形態による筒状体を有するシリンダ体の下端部を図２と同様に示す図である。
【符号の説明】
【００５５】
１  車輪側チューブ
２  シリンダ体
２ａ  下端部
２ｂ  連通孔
２ｄ  直線状部
２ｅ  テーパ部
３  締付ボルト
４  ボトム部を形成するブラケット
４ｂ  環状担持部
５  筒状体
５ａ  流路
１０  減衰手段
１１  圧側減衰バルブ
１２  圧側チェック弁
１３  調整バルブ
５１  外周側補強体
５２  内周側シール体
Ｌ１，Ｌ２  通路
Ｒ  リザーバ室
【図１】
2008232385.tif 000003
【図２】
2008232385.tif 000004
【図３】
2008232385.tif 000005